(57)【特許請求の範囲】
【請求項１】
水槽の中央に円筒状のセンターウェルを設け、沈殿槽のスカム排水をセンターウェルに流入させるスカム流入管と、曝気槽から汚泥を引き抜き、センターウェル内のスカム上に散水する汚泥投入配管と、底部に堆積した濃縮汚泥を引き抜く濃縮汚泥配管と、分離水を曝気槽に返送するための返流水配管とを設けたことを特徴とする汚泥濃縮槽。
【請求項２】
汚泥濃縮槽の底部をホッパー状とし、この汚泥濃縮槽内に挿入するセンターウェルの下部をベルマウス状とすることを特徴とする請求項１記載の汚泥濃縮槽。
【発明の詳細な説明】
【０００１】
【発明の属する技術分野】
本発明は、汚泥濃縮槽、特にオキシデーションディッチ等、活性汚泥を用いて有機性汚水を生物処理する設備において、汚泥管理とスカム対策を容易に行うことができる汚泥濃縮槽に関するものである。
【０００２】
【従来の技術】
上記従来の汚泥濃縮槽は、沈殿槽に堆積した汚泥の一部をポンプにより引き抜いたものを投入し、分離水は原水ポンプ槽や流量調整槽に返送するのが一般的であった。また沈殿槽でスカムスキマー等により排出したスカム排水は、固形物をスクリーンやスカムカゴにより除去した後、分離水同様に原水ポンプ槽や流量調整槽に返送していた。
【０００３】
【発明が解決しようとする課題】
上記従来の汚泥濃縮槽において、沈殿槽に堆積している汚泥は、汚水の流入水量の変動等の影響を受けて濃度が変化する上、引き抜きポンプの容量や作動時間によっては、沈殿槽内にみずみちができるなどの問題があり、余剰汚泥として系外に排出する固形物が安定していないため、汚泥管理が難しいという問題がある。
スカム排水をスクリーン等に通しても、発泡スカムの原因となる放線菌を除去することはできず、原水ポンプ槽や流量調整槽を介して、再び曝気槽に戻るため曝気槽における発泡を助長するという問題点があった。
【０００４】
本発明は、上記従来の汚泥濃縮槽の有する問題点を解決し、ＳＲＴ等を基礎とした汚泥管理が容易で、安定した水処理性能が得られるとともに、放線菌に起因する発泡スカムを、効果的に抑制することができ、さらに曝気機の性能に支障なく、安定した運転を行うことができる汚泥濃縮槽を提供することを目的とする。
【０００５】
【課題を解決するための手段】
上記目的を達成するため、本発明の汚泥濃縮槽は、水槽の中央に円筒状のセンターウェルを設け、沈殿槽のスカム排水をセンターウェルに流入させるスカム流入管と、曝気槽から汚泥を引き抜き、センターウェル内のスカム上に散水する汚泥投入配管と、底部に堆積した濃縮汚泥を引き抜く濃縮汚泥配管と、分離水を曝気槽に返送するための返流水配管とを設けたことを特徴とする。
【０００６】
上記の構成からなる本発明の汚泥濃縮槽は、汚泥濃縮槽にセンターウェルを設けて、沈殿槽のスカム排水を流入させ、投入汚泥は曝気槽から引き抜いた余剰汚泥をセンターウェルの上部から落下するように流入させる。このため、曝気槽の汚泥は、濃度は低いが安定しているので、余剰汚泥として排出する固形物量を引き抜き汚泥量として把握でき、ＳＲＴ（固形物滞留時間）等を基礎とした汚泥管理を容易に行えるとともに、スカム排水中のスカムは、センターウェル内で一部が浮上するが、センターウェル上部から流入する余剰汚泥によって破砕されるため、スカム排水に含まれていた放線菌は、汚泥と共に底部に沈降堆積し、濃縮汚泥として汚泥貯留槽、さらには処理場の外へと排出される。また、汚水の流入量が少ない時間帯に、曝気槽から余剰汚泥を多量に引き抜くと、曝気槽の水位が低下し、曝気機の性能変化などの問題を生じることがあるが、分離水を曝気槽に返流させるため、このような問題も回避できる。
【０００７】
また、本発明の汚泥濃縮槽は、汚泥濃縮槽の底部をホッパー状とし、この汚泥濃縮槽内に挿入するセンターウェルの下部をベルマウス状とすることを特徴とする。
【０００８】
上記の構成からなる本発明の汚泥濃縮槽は、センターウェル下部をベルマウス状、濃縮槽下部をホッパー状とすることにより、センターウェルの外側にスカムが浮上するのを防ぐことができる。
【０００９】
【発明の実施の形態】
以下本発明の汚泥濃縮槽を図面に示す実施例にもとづいて説明する。
図において１は汚泥濃縮槽で、この汚泥濃縮槽１に隣接して、曝気槽２、沈殿槽３、及び汚泥貯留槽４を配設し、これら各槽間を図２に示すように接続するものである。この汚泥濃縮槽１の下部はホッパー状１０とし、そして上部には汚泥濃縮槽１からの上澄水が流入し、槽外へ排出するための越流トラフ１７を設ける。この越流トラフ１７は、汚泥濃縮槽１の内周面の全部または一部分に設け、越流トラフ１７に流入した上澄水を曝気槽２へ導くための返流水配管１６を接続する。なお、汚泥濃縮槽の上部は円筒状のものを図示したが、角柱状のものを用いることも可能である。
【００１０】
次に汚泥濃縮槽１の水槽の中央には、センターウェル１１を設け、このセンターウェル１１の一部、例えば中央部分に沈殿槽３からのスカム排水を流入させるスカム流入管１３を接続するか、またはセンターウェルの上部から流入させる構造とする。またセンターウェル１１の下部は、図１に示したようにベルマウス形状１２とし、このベルマウス形状１２の端部とホッパー１０の壁面との隙間１９から分離水が汚泥濃縮槽１の上部方向に上昇するよう構成するのが望ましい。
【００１１】
汚泥濃縮槽１の底部には、濃縮汚泥配管１８を設け、通常はこの濃縮汚泥配管１８の先端を汚泥貯留槽４に接続して、濃縮汚泥配管１８の途中に配設したポンプＰで汚泥濃縮槽１の底部に沈殿した濃縮汚泥を移送する。センターウェル１１の上部には、ノズルを有するヘッダー管１５を配置し、曝気槽２から余剰汚泥を引き抜いて汚泥濃縮槽に投入するための汚泥投入配管１４を接続する。センターウェル上部から汚泥を散水するため、ノズルの径は少なくとも１０ｍｍ以上とし、毛髪等によるノズルの閉塞を防止する。
【００１２】
次に本発明の動作、作用を図２に基づいて説明する。原水ポンプ槽または流量調整槽から揚水された汚水は、汚水流入管２０より曝気槽２に流入する。この曝気槽２には、スクリュー形曝気機５等を配設しているので、このスクリュー形曝気機５により酸素を供給しながら攪拌することにより活性汚泥により処理される。この後、活性処理された汚水は供給管２１を介して沈殿槽３に流入する。この沈殿槽３において汚水は固液分離され、上澄水が配水管２２を経て処理水として放流される。この時曝気槽２では、負荷に応じて汚泥が発生するため、曝気槽から汚泥を余剰汚泥ｂとして汚泥投入配管１４より引き抜き、この汚泥投入配管１４の先端に設けたヘッダー管１５を介して汚泥濃縮槽１内のセンターウェル１１上部から投入する。
【００１３】
汚泥濃縮槽１内に投入された投入汚泥は、汚泥濃縮槽１内で１２〜２４時間程度重力濃縮されて、汚泥濃縮槽１の底部に濃縮汚泥ｆとして堆積する。堆積した汚泥は濃縮汚泥配管１８を介してポンプＰで引き抜き、この引き抜き汚泥ｄを汚泥貯留槽４へと移送される。これらの汚泥投入、濃縮汚泥引き抜きは、夫々のポンプをタイマーで間欠的に起動させることにより行う。
【００１４】
この時、曝気槽の容量をＶ、汚泥投入ポンプの流量と運転時間の積として計算される一日当たりの汚泥投入量ＱＴ（＝余剰汚泥引抜量）とすると、汚泥管理上、最も重要な指標であるＳＲＴ（固形物滞留時間）は、ＳＲＴ≒Ｖ／ＱＴで表される。
【００１５】
従って、ポンプ流量が一定の容積形ポンプを使用すれば、運転時間の設定変更だけで容易にＳＲＴを設定変更することができる上、流入汚水量が安定している場合には、流量と運転時間を固定してＳＲＴ（固形物滞留時間）一定運転を行うことにより、曝気槽内の汚泥量及びＭＬＳＳ濃度を一定にすることができるため、安定した処理を行うことができる。このように水処理の維持管理において、最も重要な汚泥管理を容易に行うことができる。
【００１６】
一方、活性汚泥中の放線菌濃度が上昇すると、曝気槽内で発泡し、スカムとなって浮遊する。さらにこの発泡スカムは、沈殿槽３に流入して沈殿槽の水面に浮上するため、パイプスカムスキマー６等によりスカム排水ａとして排除し、スカム流入管１３により汚泥濃縮槽１のセンターウェル１１内へと流入させる。発泡スカムは、放線菌を含む活性汚泥と微細な気泡からなるため、スカム排水が沈殿槽から汚泥濃縮槽へと移動する間に一部は破砕されて、汚泥として濃縮槽に沈殿するが、残りはセンターウェルの上部へと浮上する。
【００１７】
浮上したスカムｅは、間欠的に投入される余剰汚泥がヘッダー管１５のノズルから落下するときに破砕され、汚泥と一体化して濃縮槽底部へと沈降していく、このように発泡スカムに多量に含まれていた放線菌は、濃縮汚泥の中に取り込まれ、ポンプにより引き抜かれて系外に排出されるため、汚泥濃縮槽状部から越流する分離水ｃには、放線菌がほとんど含まれない。従って返送水として曝気槽に戻しても、スカム対策上問題がない。
【００１８】
なお、曝気槽から汚泥を引き抜いて汚泥濃縮槽に投入する場合、汚水の流入量が少ない時間帯に行うと、曝気槽の水位が低下して、曝気機の性能に支障が生じることがあるが、本発明では、汚泥濃縮槽への汚泥投入と並行して、分離水が越流して曝気槽へと返流するため、このような問題が生じることもない。
【００１９】
【発明の効果】
本発明の汚泥濃縮槽は、ＳＲＴ等を基礎とした汚泥管理が容易で、安定した水処理性能が得られると共に、放線菌に起因する発泡スカムを、効果的に抑制することができ、さらに曝気機の性能に支障なく、安定した運転を行うことができる。
【００２０】
また、請求項２記載の汚泥濃縮槽は、センターウェルの外側にスカムが浮上するのを防ぐことができる。
【図面の簡単な説明】
【図１】本発明の汚泥濃縮槽の一実施例を示す縦断面図である。
【図２】本発明の汚泥濃縮槽の一実施例を示す処理フロー図である。
【符号の説明】
１  汚泥濃縮槽
１１  センターウェル
１２  センターウェル下部
１３  スカム流入管
１４  汚泥投入配管
１５  ヘッダー管
１６  返流水配管
１７  越流トラフ
１８  濃縮汚泥配管
２  曝気槽
３  沈殿槽
４  汚泥貯留槽
５  スクリュー形曝気機
６  スカムスキマー
【図１】
0003654733.tif 000002
【図２】
0003654733.tif 000003